(57)【要約】  エンジンの吸気および排気システムに連結された流量制御機構。機構は、差圧または圧力脈動の変動にもかかわらず、排気ガスの再循環を達成することができる。制御機構は貯蔵デバイスに連結されてもよい。脈動を使用して、貯蔵デバイスに排気ガスの一部が貯蔵されてもよい。吸気多岐管で必要とされる排気ガスは、排気ガスが補給される間に供給されてもよい。貯蔵部は、圧力脈動に対処する必要および脈動に伴う流量制御機構の従属的調整をなくす可能性がある。【選択図】図１
2009513875.tif 000002
【特許請求の範囲】
【請求項１】
排気ガス再循環システムであって、
入力ポートと出力ポートを有する流量制御機構と、
前記流量制御機構の前記入力ポートに連結された出力ポートを有する貯蔵デバイスとを備える再循環システム。
【請求項２】
請求項１に記載のシステムであって、
前記流量制御機構の前記出力ポートは、エンジンの吸気システムへの連結のためにあり、
前記貯蔵デバイスの前記入力ポートは、前記エンジンの排気システムへの連結のためにあるシステム。
【請求項３】
請求項２に記載のシステムであって、前記流量制御機構に接続されたコントローラをさらに備えるシステム。
【請求項４】
請求項２に記載のシステムであって、前記貯蔵デバイスは、前記貯蔵デバイスの前記入力ポートに連結された流量制御弁を有するシステム。
【請求項５】
請求項４に記載のシステムであって、前記流量制御弁は、前記貯蔵デバイス内への排気ガスの一方向の流れを可能にするシステム。
【請求項６】
請求項５に記載のシステムであって、前記流量制御機構は、排気ガスが、前記排気ガスの圧力脈動中に、前記貯蔵デバイスに入ることを可能にするシステム。
【請求項７】
請求項６に記載のシステムであって、前記流量制御機構は、前記コントローラに接続されるシステム。
【請求項８】
排気ガスを再循環させる方法であって、
排気ガスの一部分を、エンジンからチャンバへ送るステップと、
前記排気ガスを、前記チャンバから前記エンジンの吸気システムへ運搬するステップとを含む方法。
【請求項９】
請求項８に記載の方法であって、前記吸気システム内で、前記排気ガスを空気と混合するステップをさらに含む方法。
【請求項１０】
請求項９に記載の方法であって、前記排気ガスの一部分は、前記エンジンからの排気ガスの圧力脈動による方法。
【請求項１１】
請求項１０に記載の方法であって、前記チャンバから前記吸気システムへの前記排気ガスの運搬を制御するステップをさらに制御する方法。
【請求項１２】
請求項１１に記載の方法であって、コントローラによって、前記排気ガスを運搬することを制御する方法。
【請求項１３】
排気ガス再循環システムであって、
入力と出力を有する流量制御機構と、
前記流量制御機構の前記入力に連結された出力および入力を有する貯蔵デバイスとを備える再循環システム。
【請求項１４】
請求項１３に記載のシステムであって、前記流量制御機構の前記入力は、エンジンの排気システムへの連結のためにあり、
前記流量制御機構の前記出力は、エンジンの吸気システムへの連結のためにあるシステム。
【請求項１５】
請求項１４に記載のシステムであって、前記流量制御機構に接続されたコントローラをさらに備えるシステム。
【請求項１６】
請求項１５に記載のシステムであって、
前記流量制御機構の前記入力の第１圧力センサと、
前記流量制御機構の前記出力の第２圧力センサとをさらに備え、
前記第１および第２圧力センサは前記コントローラに接続されるシステム。
【請求項１７】
貯蔵部を有するオンデマンドＥＧＲ制御装置であって、
エンジンの吸気部に連結するための出力を有する排気ガス再循環弁と、
エンジンの排気部に連結するための入力を有し、前記排気ガス再循環弁の入力に連結された出力を有するコンテナとを備える制御装置。
【請求項１８】
請求項１７に記載の制御装置であって、前記コンテナは、排気ガスの圧力脈動を吸収するためにある制御装置。
【請求項１９】
請求項１８に記載の制御装置であって、前記コンテナの前記入力にインタフェース機構をさらに備える制御装置。
【請求項２０】
請求項１９に記載の制御装置であって、前記インタフェース機構は、一定圧力を超える排気ガスの前記コンテナ内への進入を可能にする制御装置。
【発明の詳細な説明】
【技術分野】
【０００１】
本発明は、内燃機関に関し、特に、エンジン内の排気ガス再循環（ＥＧＲ）システムに関する。より詳細には、本発明は、排気ガスのより効率的な再循環に関する。
【背景技術】
【０００２】
本発明は、エンジン内で再循環される排気ガスの流れを平滑にする（すなわち、脈動を最小にする）手法である。
【発明の開示】
【発明が解決しようとする課題】
【０００３】
内燃機関（たとえば、ディーゼルエンジン）内のエミッションコントロールの場合、エンジンからの排気ガスの一部は、元のエンジンのシリンダ内に向け直されるか、または、再循環されることがある。シリンダ内へのイナート（すなわち、排気ガス）の導入は、対象となる汚染物質であるＮＯｘ発生を最小にするか、または、防止する可能性がある。本手法は、排気ガス再循環（ＥＧＲ）と呼ばれることがある。
【課題を解決するための手段】
【０００４】
ＥＧＲシステムは、開ループ、すなわち、エンジン内へ戻る排気ガスの流量を調整することができる、可変ノズルタービン（ＶＮＴ）のベーン位置などのアクチュエータの調整に依存してもよい。本システムは、ＥＧＲシステムに貯蔵デバイスを付加することによって排気再循環を改善することができる。
【発明を実施するための最良の形態】
【０００５】
図１は、本システムの具体的な例を示す。図は、エンジン１１および流量制御機構１２を有する排気ガス再循環（ＥＧＲ）機構を有するシステム１０を示す。流量制御機構１２は、弁、ポンプなどであってよい。最新のエンジンは、厳しいエミッション規制に対処するために、ＮＯｘエミッションのエンジン出力エミッションを減らす排気ガス再循環（ＥＧＲ）を使用する。ＥＧＲは、エンジン１１の排気ガス１４の一部の、元のエンジンへの再循環である。排気ガス１４は、吸気多岐管１５に入る前に位置１８で、または、吸気多岐管１５内で、新鮮な空気１６と混合されて混合物３６になってもよい。その後、新鮮な空気１６と排気ガス１４の混合物３６は、適切な時刻に、吸気ポート１９を介してシリンダ１７に入ってもよい。この時点での問題は、エンジンからの排気ガス１４が、脈動になる可能性があることである。本発明は、有利には、脈動を利用し、再循環用の排気ガスの平滑な流れをそれぞれ多岐管１５およびシリンダ１７にも提供することができる。これは、エンジンからやってくる排気ガス１４を貯蔵することができる貯蔵デバイス４２を付加することによって達成されてもよい。脈動中の排気ガスの流れを使用して、貯蔵デバイス４２に排気ガスの一部が貯蔵されてもよい。吸気多岐管１５の入口３４における再循環用の排気ガス４３は、貯蔵デバイス４２から供給され、一方、同時に、貯蔵デバイス４２は、入口流量制御機構４４（任意的構成としてもよい）、パイプ４１、および排気パイプ２８によって、排気多岐管２３から排気ガス１４を補給されてもよい。インタフェース４４は、コントローラ４０に接続されたライン４５によって制御されてもよい。インタフェース４４は、圧力、圧力脈動、および／または流量に応じて、排気ガス１４の進入または排気ガス４３の流出を制御することができる。インタフェース４４は、一定の時刻に、貯蔵デバイス４２内への排気ガス１４の一方向の流れを可能にする流量制御弁とすることができる。インタフェース４４は、排気ガス１４の圧力脈動中か、または、排気ガス１４が一定の圧力を超えるときに、排気ガス１４が、貯蔵デバイス４２に入ることを可能にしてもよい。このことは、貯蔵デバイス４２内で排気ガスの一定の圧力が達成されることができることを意味する。この改善された圧力は、エンジンの排気システムパイプ２８に比べて、吸気システムエリア１８の圧力が全体に高くても、排気ガス４３を、ＥＧＲ弁１２を通過するのに十分な圧力で補助することができる。貯蔵デバイス４２からの出力排気ガス４３は、脈動がない可能性がある。一方、デバイス４２の入力／出力ポートは、開いているだけであり、流量制御機構１２に入ることができる排気ガス１４の圧力脈動に対するクッションの役目を果たしてもよい。貯蔵部またはキャパシタンスのデバイス４２は、排気ガスの圧力脈動に対処する必要および脈動に伴うＥＧＲ弁動作の従属的調整を最小にするか、または、なくす可能性がある。本手法はまた、排気ガス４３需要のシリンダごとの変動を制御すること、および、必要に応じて、異なるシリンダ１７に異なるレベルのＥＧＲ４３を提供するのに役立つ場合がある。
【０００６】
図２は、貯蔵デバイス４２を有するＥＧＲシステムの別の構成を示す。圧力脈動を有する一部の排気ガス１４は、貯蔵デバイス４２に入ってもよい。一部の排気ガス１４は、流量制御機構１２に直接入ってもよい。流量制御機構１２に入る、デバイス４２からの貯蔵された排気ガス４３が存在してもよい。コントローラ４０に接続されたライン４５によって制御され、デバイス４２の入力／出力に位置するオプションのインタフェース４４が存在してもよい。インタフェース４４は、圧力、圧力脈動、および／または流量に応じて、排気ガス１４の進入または排気ガス４３の流出を制御することができる。デバイス４２の入力／出力ポートは、開いているだけであり、流量制御機構１２に入ることができる排気ガス１４の圧力脈動に対するクッションの役目を果たしてもよい。
【０００７】
インタフェース４４は、一定の時刻に、貯蔵デバイス４２内への排気ガス１４の一方向の流れを可能にする弁とすることができる。インタフェース４４は、排気ガス１４の圧力脈動中か、または、排気ガス１４が一定の圧力を超えるときに、排気ガス１４が、貯蔵デバイス４２に入ることを可能にしてもよい。このことは、貯蔵デバイス４２内で排気ガスの一定の圧力が達成されることができることを意味する。この改善された圧力は、到来する排気ガス４３の圧力が時々減少し、また、エンジンの排気システムパイプ２８に比べて、吸気システムエリア１８の圧力が全体に高くても、排気ガス４３を、ＥＧＲ弁または流量制御機構１２を通過するのに十分な圧力で補助することができる。貯蔵デバイス４２からの出力排気ガス４３は、脈動がない可能性がある。貯蔵デバイス４２は、排気ガス１４および４３全体の圧力変動を平滑にし、排気システムパイプ２８内の排気ガス１４に比べて、流量制御機構１２の入力において高い全体圧力を依然として提供してもよい。
【０００８】
以下は、本システムの基礎を提供することができる。シリンダに入る前に、または、吸気弁を通してシリンダに入った後に、一定量の燃料が、（キャブレターまたは燃料噴射器によって）混合物３６に付加される。この新しい混合物３６は、シリンダ１７に対して吸気弁２５によって許可される吸気サイクル中に、それぞれのシリンダに入ってもよい。その後、吸気弁は閉じ、シリンダ内のピストン２１は、シリンダを収容するブロックの頂部に取り付けられた明示的には示されないヘッド構造（ヘッド）にぶつかって混合物３６を圧縮する。ヘッドは、ピストンとヘッドとの間の容積を包含するシリンダ１７を覆い、シールしてもよい。ピストンが、ヘッドに対して最も近い位置（すなわち、トップデッドセンタ（ＴＤＣ．））に向かって移動するにつれて、混合物３６の容積が減少し、ヘッド内に位置する吸気弁２５と排気弁２６が閉じたままで、圧力が劇的に増加し、それにより、混合物３６の容積のシールが維持される可能性がある。同様に、多岐管１５および２３は、多岐管をそれぞれの弁２５および２６に連結するポート１９および２２を有するヘッドに取り付けられてもよい。弁２５および２６は、円形であるが、ピストン２１の頂部に対してヘッドの向きが傾斜するため、図では長円形に見える場合がある。あるいは、弁２５および２６は、エンジンのシリンダブロックに取り付けられているそれぞれの吸気および排気多岐管と共に、ブロックの頂部に位置してもよい。吸気弁２５および排気弁２６は、クランクシャフト２４に連結されたカムシャフト（図示せず）によって開閉してもよい。燃料混合物をエンジンにもたらし、排気ガスをエンジンから取り除くための他の機構が利用されてもよい。ほぼヘッドに対するピストンの最も近い位置において、圧縮された混合物３６は、（ディーゼルエンジン内での非常に圧縮された混合物の熱またはガソリンエンジン内でのプラグのスパークによって）点火し、膨張し、それにより、ピストン上に大きな圧力を生じ、ヘッドから離れるようにピストンを押す。ピストン２１は、燃焼する混合物３６のピストンに及ぼす力によって回転するクランクシャフト２４に連結され、動力サイクルがもたらされてもよい。ピストンが、ヘッドから最も遠い位置（すなわち、ボトムデッドセンタ（ＢＤＣ））に近づくにつれて、排気弁２６は開き、ピストン２１は、シリンダ１７を上に逆戻りし、燃焼済み混合物または排気ガス１４を、排気ポート２２を介してシリンダ１７から排気弁２６を通して排気多岐管２３内に押し出し、排気サイクルをもたらしてもよい。排気弁２６は閉じて、吸気弁が開いてもよく、それにより、ピストン２１が、次の吸気サイクル中に、ある程度の燃料と共に別の混合物３６をシリンダ１７内に引き入れることが可能になり、このとき、ピストン２１は、ヘッドから離れるようにシリンダ１７を下に移動する。クランクシャフト２４の次の２回転にわたって所与のピストン２１とシリンダ１７について、シーケンス、すなわち、吸気、圧縮、動力、および排気サイクルが、それ自体繰り返されてもよい。他のピストン２１およびシリンダ１７はそれぞれ、同じプロセスを通して進行してもよい。しかし、各ピストンは、クランクシャフト２４のほぼ０．５回転から１．５回転だけ他のピストンからずれたサイクルシーケンスを有してもよい。そのため、図１に示す４シリンダエンジン１１の場合、クランクシャフト２４の各０．５回転中に、ピストン２１のうちの１つのピストン２１から１動力サイクルが存在してもよい。エンジン１１は、代わりに、異なる数のシリンダおよびインライン、「Ｖ」または対向シリンダ配置構成などの構成を有してもよい。エンジンは、ピストンを持たない別の種類の内燃機関であってもよい。こうしたエンジンの例は、ワンケルエンジンであってよい。
【０００９】
エンジン１１の動力は、ターボチャージャなどの機構によって、混合物３６がシリンダ１７に入る前に、燃料と共に混合物３６を圧縮することによって増加してもよい。エンジン１１を出て多岐管２３に入る排気ガス１４は、排気パイプ２８を介してタービンのところに行ってもよい。排気ガス１４は、１分当たり比較的高い回転数（ｒｐｍ）でタービンを回転させる、または、スピンさせてもよい。排気ガス１４は、タービンを通過した後、排気パイプを介してターボチャージャを出てもよい。タービンは、次に、シャフトによって、圧縮機タービンを回転させてもよい。タービンは、新鮮な空気１６を吸気管を介して引き入れ、多岐管１５に連結された管３４内に出力してもよい。管３４内への空気１６の移動は、自然吸気エンジン１１の通常の吸気よりはるかに速いため、空気１６は、多岐管１５を介してエンジンに入るにつれて圧縮される可能性がある。圧縮空気１６の圧力がパイプ２８内の排気ガス１４の圧力より高い場合、排気ガスは、開いた弁１２を通過せず、管３４または多岐管１５内で空気１６と混合して、ＥＧＲが得られる。ここで、対象となるのはこの差圧である。
【００１０】
ＥＧＲは、排気多岐管２３または排気パイプ２８を、吸気多岐管または空気吸入管３４に連結することができる、パイプ３５または運搬用の他のデバイスによって達成されてもよい。ＥＧＲ流パイプ３５では、オン／オフ弁、比例流量弁、またはリード弁が、弁１２としてパイプ内に位置してもよい。オン／オフ弁または比例流量弁が使用されるとき、ＥＧＲを、エンジン１１のクランクシャフト２４の負荷および速度の関数として調節するために、いずれか一方は、従来の遅い時間スケールで制御されてもよい。どちらの場合も、右方向のＥＧＲ流を提供するために、排気圧力は、吸気圧力より大きくあるべきである。吸気圧力および排気圧力は、それぞれ、圧力センサ３７および３８によって測定されてもよい。圧力センサ３７および３８は、コントローラ４０に接続されてもよい。圧力センサ３７および３８からの信号を使用して、流量制御機構１２の前後の差圧が決定されてもよい。この圧力は、適切に位置する差圧またはデルタ圧力センサによって検出されてもよい。クランクシャフトの速度または回転速度またはカウントは、クランクシャフト２４に取り付けられたフライホイール５１の近くのセンサ３９によって検出されてもよい。センサ３９は、コントローラ４０に接続されてもよい。弁または機構１２は、接続部５３によってコントローラ４０に接続されてもよい。コントローラ４０は、エンジン関連パラメータから、流量制御機構１２用の制御信号を計算するときに、数学的モデルおよび適切な制御ロジック、ルックアップテーブル、または他のスキームを使用することもできる。
【００１１】
リード弁が使用されるとき、ＥＧＲ流は、能動的に制御されない弁の特性に依存してもよい。ディーゼルエンジンなどの、うまく設計された高度にターボチャージングされたエンジン１１では、ターボチャージャは、エンジン排気多岐管圧力より高い吸気ブーストを生成してもよい。そのため、排気多岐管２３またはパイプ２８から吸気管３４または多岐管１５へ排気ガス１４の流れを誘導するために、時間平均された排気多岐管２３圧力は、吸気多岐管１５圧力を超えて上げられるべきである。これは、本質的に、吸気圧力が排気圧力より高いことが、ターボチャージャの正のポンピング寄与を打ち消し、エンジンによる効率および燃料経済性の喪失をもたらすので、問題になり得る。さらに、排気圧力は、個々のシリンダイベントのために、脈動的である場合があるため、排気からの脈動は、吸気多岐管１５に伝達される可能性がある。排気多岐管２３圧力が降下し、吸気多岐管１５圧力が一時的に、排気より高くなると、圧力脈動中に得られる排気ガス１４流の一部が逆流する可能性がある。所望のＥＧＲレートを達成することである正味の結果を得るために、エンジンは、たとえば、パイプ２８内で排気ガス１４流を閉鎖することによって、「背圧をかけられ（ｂａｃｋ−ｐｒｅｓｓｕｒｅｄ）」てもよく、エンジンの燃料経済性喪失をもたらす。さらに、高いレベルのＥＧＲが必要とされるため、燃料経済性ペナルティは増加し、場合によっては、エンジンは、ターボチャージャおよびエンジン１１の熱力学の制限のために、必要とされるＥＧＲレベルを達成することができないことになる。
【００１２】
本デバイスまたは弁１２は、背圧を増加させることなくＥＧＲ流を誘導する問題を解決することができる。これは、排気ガス１４圧力が脈動的であること、および、これらの圧力脈動の大きさが、一定期間の間、吸気混合物３６圧力を超えるようなものであることを最初に認識することによって達成されてもよい。これらの圧力脈動は、センサ３８によって検出されてもよい。好ましくない、または、負の圧力勾配中に管またはパイプ３５内のＥＧＲ経路を閉じることによって、本流量制御機構または弁１２は、逆のＥＧＲ流を防止してもよいが、その後、正のまたは順方向圧力中に、流量制限を最小にした状態で経路を再開してもよい。利点は、所望のＥＧＲ流を誘導するエンジン背圧要件が下がる、または、なくなる場合があることである。こうして、時間平均された吸気多岐管圧力が、時間平均された排気多岐管圧力よりたとえ高い場合でも、ＥＧＲは、「上に向かって（ｕｐ−ｈｉｌｌ）」、すなわち、適切な方向に管３５を介して排気多岐管２３または管２８から吸気多岐管１５または管３４へ流れることができる。流体（たとえば、ガス１４）の流れまたは流量は、ライン５３によってコントローラ４０に接続することができる流量センサによって検出され、測定されてもよい。流量センサは、流量制御機構１２の近くの管３５内に、または、機構１２内に位置してもよい。
【００１３】
この現象を達成するために、本デバイスまたは弁１２は、流れエリア、開く時間、および閉じる時間が、好ましい圧力脈動に一致するように制御できるように、制御可能に開く「窓（ｗｉｎｄｏｗ）」エリアを有してもよく、したがって、順方向流が起こることになるときだけ、かつ、所望のＥＧＲ流量に適合する継続期間の間だけ開く。弁は、可動の機械式障害物による窓の開閉によって、流体（すなわち、ガスまたは液体）の流れを非常に高速に制御してもよい。
【００１４】
弁１２の開放エリアおよびタイミングは、シリンダごとに制御されて、各排気脈動についてカスタマイズされたＥＧＲ流が達成され、また、ＥＧＲ流が各脈動に関して公称上等しくされてよい。各シリンダは、接続ライン５２によってコントローラ４０に接続された個々の圧力センサ（図示せず）を有してもよい。これは、排気ガス再循環レートのサイクルごとの変動およびシリンダごとの変動をもたらす排気脈動の強度のサイクルごとの有意な変動が存在する場合に特に有用である場合がある。そのことは、シリンダが異なる量の動力を提供する場合、シリンダのそれぞれから同じ量の動力が得られるように、調整されかつさまざまな量でタイミングを合わせて、再循環ガスがシリンダのそれぞれに供給されることができることを意味する。シリンダからの動力のこの均等性は、走行が非常に平滑でかつ効率的なエンジンをもたらす可能性がある。
【００１５】
所与のシリンダイベントからのエミッションが、ＥＧＲレートに対して特に感度が高いため、排気圧力脈動強度の関数としてのＥＧＲレートの制御は、エミッション、経済性、および動力の点で特に有益である場合がある。この制御戦略は、いろいろな他の種類のセンサの使用によって強化されてもよく、それらのセンサは、エンジンシステムの衝撃、振動、脈動、温度、混合物、および他のパラメータを測定するのに使用されてもよい。これらのセンサからの信号は、プロセッサまたはコントローラに入力されて、有効なＥＧＲのための適切な信号を流量制御機構１２に供給してもよい。ＥＧＲ流量制御は、数学的モデルと適切な制御ロジックと共に、圧力センサおよび／または他の関連するセンサの使用に基づいてもよい。コントローラ４０は、上述した圧力センサおよび／または他の関連するセンサからのパラメータ信号に基づくＥＧＲ流制御のために、数学的モデルと制御ロジックを組み込んでもよい。
【００１６】
本明細書では、事柄の一部は、別の方法または時制で述べられていても、仮説的または予言的なものであり得る。
本発明は、少なくとも１つの具体的な例に関して述べられたが、本明細書を読むことによって、多くの変形および変更が、当業者に明らかになるであろう。したがって、添付の特許請求の範囲は、全てのこうした変形および変更を含むように、従来技術を考慮してできる限り広い範囲で解釈されることが意図される。
【図面の簡単な説明】
【００１７】
【図１】貯蔵機構を有するＥＧＲシステムを有するエンジンの図である。
【図２】図１のＥＧＲシステムの別の構成の図である。
【図１】
2009513875.tif 000003
【図２】
2009513875.tif 000004
【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
排気ガス再循環システム（１０）であって、
入力ポートと出力ポートを有する流量制御機構（１２）と、
前記流量制御機構の前記入力ポートに連結された出力ポートを有する貯蔵デバイス（４２）とを備え、
前記流量制御機構（１２）の前記出力ポートは、エンジン（１１）の吸気システム（１５，３４）への連結のためにあり、
前記貯蔵デバイス（４２）の前記入力ポートは、前記エンジンの排気システム（２３，２８）への連結のためにある、排気ガス再循環システムシステム。
【請求項２】
排気ガスを再循環させる方法であって、
排気ガスの一部分を、エンジン（１１）からチャンバ（４２）へ送るステップと、
前記排気ガスを、前記チャンバから前記エンジンの吸気システム（１５，３４）へ運搬するステップと、
前記チャンバ（４２）から前記吸気システム（１５，３４）への前記排気ガスの運搬を制御するステップと、を備え、
前記排気ガスの一部分は、前記エンジン（１１）からの排気ガスの圧力脈動による、方法。
【請求項３】
排気ガス再循環システム（１０）であって、
入力と出力を有する流量制御機構（１２）と、
前記流量制御機構（１２）の前記入力に連結された出力および入力を有する貯蔵デバイス（４２）と、
前記流量制御機構の前記入力の第１圧力センサ（３８）と、
前記流量制御機構の前記出力の第２圧力センサ（３７）と、を備え、
前記流量制御機構（１２）の前記入力は、エンジン（１１）の排気システム（２３，２８）への連結のためにあり、
前記流量制御機構（１２）の前記出力は、エンジンの吸気システム（１５，３４）への連結のためにあり、
前記第１および第２圧力センサは前記コントローラ（４０）に接続される、排気ガス再循環システム。
【請求項４】
貯蔵部を有するオンデマンドＥＧＲ制御装置であって、
エンジン（１１）の吸気部（１５，３４）に連結するための出力を有する排気ガス再循環弁（１２）と、
エンジンの排気部（２３，２８）に連結するための入力を有し、前記排気ガス再循環弁の入力に連結された出力を有するコンテナ（４２）と、
前記コンテナ（４２）の前記入力にあるインタフェース機構（４４）と、を備え、
前記インタフェース機構は、一定圧力を超える排気ガスの前記コンテナ（４２）内への進入を可能にする、制御装置。
【国際調査報告】
2009513875.tif 000005
2009513875.tif 000006